(57)【特許請求の範囲】
【請求項１】
生体情報処理装置であって、
入力装置と、
表示装置における情報表示を制御する制御手段と、を有し、
前記制御手段は、
前記入力装置に対して予め定められた特定の入力がなされたことが検出されるまで、表示すべき情報のうち、予め定められた特定の情報が視認できない第１の表示状態で前記表示装置での情報表示を行い、
前記入力装置に対して前記特定の入力がなされたことが検出されると、前記表示すべき情報のうち、前記特定の情報の少なくとも一部が視認できる第２の表示状態で前記表示装置での情報表示を行い、
前記表示装置の表示領域内の複数の部分領域のそれぞれについて、前記特定の情報の異なる組み合わせが予め関連づけられており、
前記制御手段は、前記複数の部分領域のうち、前記特定の入力によって指定された位置を含む部分領域に関連づけられた複数の情報が視認できるように前記第２の表示状態で前記表示装置での情報表示を行う、
ことを特徴とする生体情報処理装置。
【請求項２】
前記入力装置が複数の入力デバイスを有し、
前記特定の入力が、前記複数の入力デバイスのうち、予め定められた１つ以上からの入力であることを特徴とする請求項１記載の生体情報処理装置。
【請求項３】
前記複数の入力デバイスが接触感知デバイスを含むことを特徴とする請求項２に記載の生体情報処理装置。
【請求項４】
前記特定の入力が、前記接触感知デバイスの特定の領域に対する接触を含む１つ以上の入力であることを特徴とする請求項３に記載の生体情報処理装置。
【請求項５】
前記特定の入力が、前記接触感知デバイスの特定の複数の領域に対する同時接触を含む複数の入力であることを特徴とする請求項３に記載の生体情報処理装置。
【請求項６】
前記接触感知デバイスが、前記表示装置に設けられ、
前記特定の領域がソフトウェアキーとして前記表示装置に表示されることを特徴とする請求項４または５に記載の生体情報処理装置。
【請求項７】
前記特定の入力が、前記接触感知デバイスに対するジェスチャ入力であることを特徴とする請求項３に記載の生体情報処理装置。
【請求項８】
生体情報処理装置であって、
入力装置と、
表示装置における情報表示を制御する制御手段と、を有し、
前記制御手段は、
前記入力装置に対して予め定められた特定の入力がなされたことが検出されるまで、表示すべき情報のうち、予め定められた特定の情報が視認できない第１の表示状態で前記表示装置での情報表示を行い、
前記入力装置に対して前記特定の入力がなされたことが検出されると、前記表示すべき情報のうち、前記特定の情報の少なくとも一部が視認できる第２の表示状態で前記表示装置での情報表示を行い、
前記特定の入力が、前記表示装置に設けられた接触感知デバイスの特定の領域に対する接触を含む１つ以上の入力であり、
前記特定の領域が、前記表示装置における表示からは特定できないことを特徴とする生体情報処理装置。
【請求項９】
前記入力装置がオンオフするスイッチを含んだ入力デバイスを含むことを特徴とする請求項２から８のいずれか１項に記載の生体情報処理装置。
【請求項１０】
前記特定の入力が、特定の複数のスイッチのオン入力を含むことを特徴とする請求項９に記載の生体情報処理装置。
【請求項１１】
前記特定の複数のスイッチの１つ以上がハードウェアキーまたはボタンに含まれることを特徴とする請求項１０に記載の生体情報処理装置。
【請求項１２】
生体情報処理装置であって、
入力装置と、
表示装置における情報表示を制御する制御手段と、を有し、
前記制御手段は、
前記入力装置に対して予め定められた特定の入力がなされたことが検出されるまで、表示すべき情報のうち、予め定められた特定の情報が視認できない第１の表示状態で前記表示装置での情報表示を行い、
前記入力装置に対して前記特定の入力がなされたことが検出されると、前記表示すべき情報のうち、前記特定の情報の少なくとも一部が視認できる第２の表示状態で前記表示装置での情報表示を行い、
前記入力装置が前記生体情報処理装置の傾きおよび動きの少なくとも１つを検出するセンサを含み、
前記特定の入力が、前記生体情報処理装置の特定の傾きおよび特定の動きの少なくとも１つを含む１つ以上の入力であることを特徴とするの生体情報処理装置。
【請求項１３】
前記制御手段は、
前記入力装置に対して前記特定の入力がなされたことが継続して検出されている間は、前記第２の表示状態で前記表示装置での情報表示を行い、
前記入力装置に対して前記特定の入力がなされたことが検出されなくなると、前記第１の表示状態で前記表示装置での情報表示を行う、
ことを特徴とする請求項１から１２のいずれか１項に記載の生体情報処理装置。
【請求項１４】
前記制御手段は、
前記第２の表示状態で前記表示装置での情報表示を行っている際に前記入力装置に対して前記特定の入力がなされたことが検出されなくなっても前記第２の表示状態で前記表示装置での情報表示を継続し、
その後、前記入力装置に対して前記特定の入力がなされたことが検出されると、前記第１の表示状態で前記表示装置での情報表示を行う、
ことを特徴とする請求項１から１２のいずれか１項に記載の生体情報処理装置。
【請求項１５】
前記制御手段は、
前記第２の表示状態で前記表示装置での情報表示を行っている際に、一定時間継続して、前記入力装置に対して前記特定の入力がなされたことが検出されないと、前記第１の表示状態で前記表示装置での情報表示を行う、
ことを特徴とする請求項１から１２のいずれか１項に記載の生体情報処理装置。
【請求項１６】
前記制御手段は、前記特定の情報を表示しないか、前記特定の情報に代えて別の情報を表示するか、前記特定の情報に別の情報を重畳表示するか、前記特定の情報の表示属性を変更するか、のいずれかにより、前記第１の表示状態で前記表示装置での情報表示を行うことを特徴とする請求項１から１５のいずれか１項に記載の生体情報処理装置。
【請求項１７】
前記特定の情報が、個人に関わる情報であることを特徴とする請求項１から１６のいずれか１項に記載の生体情報処理装置。
【請求項１８】
前記特定の情報が、個人を特定可能な情報および個人の医療に関する情報の少なくとも一方を含むことを特徴とする請求項１から１７のいずれか１項に記載の生体情報処理装置。
【請求項１９】
入力装置と、
表示装置と、を有する生体情報処理装置の制御方法であって、
前記表示装置における情報表示を制御する制御工程を有し、
前記制御工程は、
前記入力装置に対して予め定められた特定の入力がなされたことが検出されるまで、表示すべき情報のうち、予め定められた特定の情報が視認できない第１の表示状態で前記表示装置での情報表示を行う第１工程と、
前記入力装置に対して前記特定の入力がなされたことが検出されると、前記表示すべき情報のうち、前記特定の情報の少なくとも一部が視認できる第２の表示状態で前記表示装置での情報表示を行う第２工程と、
を有し、
前記表示装置の表示領域内の複数の部分領域のそれぞれについて、前記特定の情報の異なる組み合わせが予め関連づけられており、
前記第２工程では、前記複数の部分領域のうち、前記特定の入力によって指定された位置を含む部分領域に関連づけられた複数の情報が視認できるように前記第２の表示状態で前記表示装置での情報表示を行う、
することを特徴とする生体情報処理装置の制御方法。
【請求項２０】
コンピュータを、請求項１から１８のいずれか１項に記載の生体情報処理装置として機能させるためのプログラム。
【発明の詳細な説明】
【技術分野】
【０００１】
本発明は生体情報処理装置およびその制御方法に関し、特には情報表示の制御技術に関する。
【背景技術】
【０００２】
従来、血圧、心電図、Ｘ線画像などを代表とする生体情報は、被検者の身体機能の診断に有用な情報として広く測定され、用いられている。そして、コンピュータおよびネットワーク技術の進歩、普及により、このような生体情報はコンピュータが取り扱い可能なデジタルデータとして保存および利用されている。例えばサーバ装置で患者ごとに生体情報などの様々な情報を管理し、サーバ装置に接続可能な端末から利用可能にすることで、病院内の様々な場所で生体情報を利用することが可能である。
【０００３】
このように生体情報の共有化が進むと、生体情報は被検者の個人情報であることから、情報の管理が重要になる。そのため、認証されたユーザのみが端末から生体情報にアクセスできるようにする技術が提案されている。特許文献１には、ユーザＩＤとパスワードの組み合わせによる認証の問題を解決するため、特定の操作を行った利用者の顔画像を記録したり、利用者の顔画像を認証に用いたりする構成が開示されている。
【先行技術文献】
【非特許文献】
【０００４】
【特許文献１】特開２００７−３０４８２３号公報
【発明の概要】
【発明が解決しようとする課題】
【０００５】
端末から生体情報へのアクセスにユーザ認証を適用することにより、生体情報への不正アクセスを防止したり抑制したりすることは可能である。しかしながら、端末が置かれた場所に出入り可能な人物が、生体情報を正当に入手可能な権限を有する人物だけとは限らない。例えば、正当なユーザが端末を通じて生体情報へアクセスして例えば解析処理を行ったり、測定結果のレポートを生成したりしているとする。この場合、端末が置かれた場所に出入り可能なだれもが、画面に表示されている情報を知ることが可能である。
【０００６】
例えば生体情報、生体情報に基づく判定結果、被検者を特定可能な情報（被検者情報）等、保護すべきと考えられる情報が表示される画面を用いた作業を行っているユーザが離席する際、スクリーンセーバーを起動したり表示装置の電源を切ったりすることで、画面表示を通じて情報が第３者に漏えいする可能性を低減可能である。しかし、これらの方法はユーザによる能動的な端末の操作を必要とし、確実性に欠ける。
【０００７】
また、例えば保護すべきと考えられる情報が表示される画面を用いた作業を正当なユーザが行っている際、情報を閲覧する権限のない第３者が通りかかったり接近してきたりするごとに上述の操作を行うことは煩雑である。従って、実際には、権限のない第３者が画面表示を通じて情報を取得できる状態となる可能性が高いであろう。
【０００８】
いわゆるのぞき見防止用のフィルタのような、表示装置の視野角を狭くする光学部材を用いることで、画面表示を通じた情報漏えいをある程度抑制することはできるかもしれないが、個々の端末に取り付けるにはコストがかかる。また、他の用途にも同じ端末が用いられる場合にはかえって不便になる場合もある。さらに、視野角が狭くなっても、例えばユーザが中座している場合のように、第３者が正面から画面を見ることが可能であれば、フィルタによる効果は期待できない。
【０００９】
本発明は、このような従来技術の問題点に鑑みなされたものであり、ユーザの負担を軽減しながら、取り扱いに注意を要する情報の簡便かつ効果的な表示制御を実現可能な生体情報処理装置およびその制御方法を実現することを目的とする。
【課題を解決するための手段】
【００１０】
上述の目的は、生体情報処理装置であって、入力装置と、表示装置における情報表示を制御する制御手段と、を有し、制御手段は、入力装置に対して予め定められた特定の入力がなされたことが検出されるまで、表示すべき情報のうち、予め定められた特定の情報が視認できない第１の表示状態で表示装置での情報表示を行い、入力装置に対して特定の入力がなされたことが検出されると、表示すべき情報のうち、特定の情報の少なくとも一部が視認できる第２の表示状態で表示装置での情報表示を行い、表示装置の表示領域内の複数の部分領域のそれぞれについて、特定の情報の異なる組み合わせが予め関連づけられており、制御手段は、複数の部分領域のうち、特定の入力によって指定された位置を含む部分領域に関連づけられた複数の情報が視認できるように第２の表示状態で表示装置での情報表示を行う、ことを特徴とする生体情報処理装置によって達成される。
【発明の効果】
【００１１】
このような構成により、本発明によれば、ユーザの負担を軽減しながら、取り扱いに注意を要する情報の簡便かつ効果的な表示制御を実現可能な生体情報処理装置およびその制御方法を実現できる。
【図面の簡単な説明】
【００１２】
【図１】本発明の実施形態に係る生体情報処理装置の一例としての心電図解析装置を実現可能な汎用コンピュータの機能構成例を示すブロック図である。
【図２】実施形態に係る心電図解析装置が表示する一覧表示画面の例を示す図である。
【図３】図２の状態で個人情報の隠蔽表示を行った状態の例を示す図である。
【図４】図３の状態で部分的に隠蔽表示を解除した状態の例を示す図である。
【図５】実施形態に係る心電図解析装置が表示するレポート表示画面（隠蔽表示）の例を示す図である。
【図６】実施形態に係る心電図解析装置における、隠蔽表示に関する設定情報の例を示す図である。
【図７】実施形態の係る心電図解析装置における表示制御動作を説明するためのフローチャートである。
【発明を実施するための形態】
【００１３】
以下、図面を参照して本発明の例示的な実施形態について詳細に説明する。なお、以下では、生体情報処理装置の一例としての心電図解析装置に本発明を適用した実施形態を説明する。しかし、本発明は処理する生体情報の種類に依存しない。心電図解析装置は、例えばパーソナルコンピュータ、タブレット端末などの汎用コンピュータ装置で心電図解析アプリケーションを実行することにより実現できる。なお、汎用コンピュータ装置に限らず、心電図解析アプリケーションを実行可能な任意の電子機器に対して本発明を適用することができる。
【００１４】
図１は、本実施形態の心電図解析装置を実現可能な汎用コンピュータの機能構成例を示すブロック図である。制御部として機能するＣＰＵ１は、例えば記憶装置１０に格納されているプログラム、ここでは心電図解析アプリケーションなどの生体信号処理アプリケーションプログラムをＲＡＭ３に読み出して実行し、後述する表示制御を始めとした生体信号処理を実現する。なお、記憶装置１０はハードディスクドライブ（ＨＤＤ）やソリッドステートドライブ（ＳＳＤ）などであり、基本ソフト（ＯＳ）、デバイスドライバ、アプリケーションプログラムなどが記憶されている。メニュー画面などを表示するためのＧＵＩデータ、ユーザ設定データ、アプリケーションの初期設定データなども記憶装置１０に記憶される。
【００１５】
ＲＯＭ２はブートストラップローダなど、心電図解析装置１００が起動するために必要なプログラムやファームウェアなどが記憶されている。ＲＯＭ２は少なくとも一部が書き換え可能であってよい。
【００１６】
ＲＡＭ３はＣＰＵ１が実行するプログラムを展開する領域や、変数やデータ等の一時記憶領域として用いられる。メモリカード４は他の機器、例えばホルタ心電計のような携帯型の測定機器で用いられる記録媒体であってよい。心電図解析装置１００は処理対象の生体信号および被検者情報をメモリカードスロット５に装着されたメモリカード４から取得することができる。
【００１７】
表示部６はドットマトリックス方式の表示装置であり、代表的には液晶ディスプレイ（ＬＣＤ）や有機ＥＬディスプレイである。なお、図１では表示部６が心電図解析装置１００に内蔵されている構成を示しているが、外部装置として接続されてもよい。また、表示部６が内蔵ディスプレイと外付けディスプレイの両方から構成されてもよい。
【００１８】
操作部８はユーザが心電図解析装置１００に指示を入力する機器であり、代表的にはキーボード、ポインティングデバイス（マウスなど）、接触感知デバイス（タッチパネルなど）などの入力デバイスの１つ以上である。なお、キーボードはハードウェアキーボードであっても、ソフトウェアキーボードであってもよい。なお、タッチパネルは表示部６に設けられてもよいし、ノート型パソコンに多く見られるようなタッチパッドの形態であってもよい。さらに、心電図解析装置１００が装置の動きや傾きを検出するために設けられているセンサ類を有する場合、これらセンサ類も操作部８を構成する。また、音声入力デバイスや視線入力デバイスなどの非接触入力デバイスも操作部８に含まれてよい。
【００１９】
通信インターフェース２０は例えば生体情報の測定装置やサーバ等の外部機器４０とデータ通信を行うための１つ以上の通信インターフェースであり、ＵＳＢ、イーサネット（登録商標）、IEEE802.11xなどの有線および／または無線通信規格に準拠した構成を有する。
【００２０】
このような構成を有する心電図解析装置１００において、例えば操作部８を通じてユーザから心電データの読み込み指示が入力されると、ＣＰＵ１はメモリカード４、記憶装置１０、あるいは外部機器４０に記録された心電データファイルの情報を表示部６に選択可能に一覧表示する。そして、ＣＰＵ１は、一覧表示から操作部８を通じて選択された心電データファイルを例えばＲＡＭ３に読み込み、所定の自動解析処理を実行する。
【００２１】
なお、解析を行う心電データを選択する必要がない場合（例えばメモリカード４内に検査１回分の心電データファイルが記録されている場合）には、一覧表示を行うことなしに、心電データファイルの読み込みと、自動解析処理とを実行してもよい。また、メモリカード４に記録されている心電データファイルに対して自動解析処理を実行する場合、自動解析処理と並行して、心電データファイル（計測された生データ）を記憶装置１０に別途保存してもよい。自動解析処理には、例えば、ノイズ除去や基線変動の除去といった波形整形処理を代表とするフィルタ処理、テンプレートを用いた波形認識や、心電データの特徴点の検出、心拍波形の分類や、予め定められたパラメータ（心電パラメータ）の算出が含まれる。
【００２２】
心拍波形の分類方法や測定する心電パラメータの種類や数に制限はなく、ユーザ設定等に応じて変更することも可能である。本実施形態では、心拍波形を例えば正常心拍（Ｎ）、心室性期外収縮（Ｖ）、上室性期外収縮（Ｓ）、ペース心拍（Ｐ）、フュージョン（Ｆ）、脚ブロック（Ｂ）、補充収縮（Ｅ）、その他（？）に分類することができる。また、心電パラメータとして例えば、ＲＲ間隔（隣接するＲ波頂点間の時間間隔）、ＱＴ間隔（Ｑ波開始点(QB)からＴ波終了点(Tend)までの時間）、ＲＴ間隔や、心拍数とそれらから派生するパラメータ（例えばＱＴディスパージョン（ＱＴ間隔の最大値と最小値との差）や、ＱＴｃ（ＱＴ間隔をＲＲ間隔で補正した値））などを算出することができる。ＣＰＵ１は、自動解析において、異常が認められた心拍には異常の種類に応じたフラグを付しておく。
【００２３】
心電図解析装置１００は波形編集機能を有する。波形編集機能は、ユーザが自動解析結果を確認し、必要に応じて自動解析結果を修正するための機能である。編集機能では例えば自動波形分類結果が正しいかどうか、波形を見ながら確認し、必要に応じて分類を変更するための機能を提供する。
【００２４】
また、心電図解析装置１００はレポート作成機能を有する。レポート作成機能は、例えば波形編集後の心電データと、被検者の情報などを用いて、予め定められた様式のレポートをプリンタから印刷したり、ＰＤＦ形式などの電子データ形式で出力したりする機能である。また、実際に出力する前に、表示部６にレポートと同様の様式で解析結果等を表示するプレビュー機能も提供する。
【００２５】
心電図解析装置１００が提供するこれらの機能は公知であり、また本発明は生体情報処理装置が提供する機能の種類には依存しないため、心電図解析装置１００が提供するこれらの機能および他の機能に関してこれ以上の説明は行わない。
【００２６】
心電図解析装置１００が提供するこれら機能を用いてユーザが作業する際には、
・外部装置やメモリカードなどから心電データファイルを記憶装置１０に読み込む際の選択画面、
・記憶装置１０に存在する心電データファイルの中から、自動解析処理、編集処理、解析レポートの生成・表示・外部出力処理等の対象とする心電データファイルを選択する際の選択画面、
・処理中の表示画面、
・処理結果の表示画面
・解析レポートの確認画面
などにおいて、処理対象のデータを正しく選択したり、処理中のデータや処理結果を確認したりすることを可能とするため、被検者に関する様々な情報が表示される。
【００２７】
被検者に関する情報の具体例としては、氏名や識別情報（例えば患者ＩＤ）といった、被検者を特定可能な情報を始め、年齢、性別、体重、疾患の情報、心電図以外の生体情報（血圧など）などの個人的な情報が含まれる。また、被検者に関する情報以外にも、取扱に注意を要する（不特定多数に知られることが望ましくない）情報が表示される場合もある。以下では、被検者に関する情報を含む、取扱に注意を要する情報として予め登録された情報をまとめて個人情報と呼び、個人情報の項目を個人情報項目と呼ぶ。
【００２８】
本実施形態の心電図解析装置１００は、表示部６に情報表示を行う場合、予め定められた個人情報が含まれる場合には、個人情報が視認できない（隠蔽された）第１の表示状態で初期表示を行う。そして、操作部８を通じた特定の入力が検出されると、隠蔽状態を解除し、個人情報を視認できる第２の表示状態にする（表示状態を切り替える）。そして、例えば特定の入力が継続して検出されている間は第２の表示状態を継続し、特定の入力が検出されなくなると、再び個人情報が隠蔽された第１の表示状態に復帰する。
【００２９】
このような表示制御により、本実施形態の心電図解析装置１００は、装置のユーザ、すなわち個人情報を閲覧する権限を有するユーザの使い勝手を大きく損なうことなく、個人情報を閲覧する権限を有さない第３者が画面表示を通じて個人情報を取得する可能性を効果的に低減することができ、個人情報の漏えいを効果的に抑制することができる。
【００３０】
図２は、本実施形態の心電図解析装置１００における、記憶装置１０に存在する心電データファイルの一覧表示画面の例を示す図である。ここでは説明のため、個人情報が表示されている（隠蔽が解除されている）状態を示している。一覧表示画面２００は、例えばＣＰＵ１が初期画面として表示部６に表示したり、解析処理・編集処理・解析レポート生成処理・解析レポート印刷処理・解析レポート送信処理などの実行が操作部８から指示された際に、処理対象のファイルをユーザに選択させるためにＣＰＵ１が表示部６に表示したりする画面である。初期画面として表示される場合には、一覧表示画面２００でファイルを選択した後に、適用する処理を選択する手順となる。
【００３１】
一覧表示画面２００は、ファイル情報領域２１０と付随情報領域２３０とを有している。ファイル情報領域２１０は、記憶装置１０に存在する心電データファイルごとの表示領域２２０を有し、表示領域２２０は、被検者の個人情報フィールド２２１と、データならびに処理ステータスに関する情報を表示するステータスフィールド２２２とを有する。個人情報フィールド２２１には被検者名およびＩＤ（識別情報）が表示される。また、ステータスフィールド２２２には、心電データの記録開始日時、心電図解析装置１００への読み込み日時（再生日時）、解析処理済みか否か、編集処理済みか否か、レポート印刷済みか否か等の情報が表示される。また、付随情報領域２３０には、ファイル情報領域２１０で選択されたファイルに係る被検者や解析の依頼元などに関する情報が表示される。
【００３２】
なお、各領域に表示される具体的な情報の種類は例示であり、これらに限定されない。また、表示領域２２０に表示される情報は、心電データファイルに関連付けられた付随情報ファイルから取得することができる。通常、心電図解析装置１００には、実際の計測データが記録されたデータファイルと、記録日時、被検者情報、計測を行った医療機関や技師に関する情報などの付随情報が記録された情報データファイルとが読み込まれる。また、心電図解析装置１００において自動解析処理や編集処理などを実行すると、処理結果や処理ステータスに関する情報を記録したデータファイルが生成され、解析対象のデータファイルと関連付けて（例えば同じフォルダに）保存される。従って、ＣＰＵ１は、記憶装置１０の所定のディレクトリに存在する各フォルダに記憶されたファイルから表示領域２２０に表示するための情報を取得し、ファイル情報領域２１０に表示する。
【００３３】
図２では、一覧表示画面２００における表示内容を説明するため、個人情報が視認できる状態（隠蔽解除状態）を示した。しかし、上述の通り、本実施形態の心電図解析装置１００は、表示部６に表示すべき情報に個人情報が含まれる場合には、個人情報が視認できない状態（隠蔽状態）で初期表示を行う。図３は、図２で説明した一覧表示画面２００の初期表示の例であり、個人情報が視認できないように表示（隠蔽表示）されている。
【００３４】
具体的には、個人情報フィールド２２１に、個人情報とは別の情報を表示することにより、個人情報を隠蔽している。なお、個人情報が視認できない状態を実現できれば、図３のように別の情報を表示する方法に限定されず、例えば個人情報フィールド２２１を空欄としてもよい。ただし、個人情報が隠蔽されている（視認できない状態になっている）ことがわかるよう、個人情報項目名（ここでは「氏名」「ＩＤ」）は表示しておくことが望ましい。また、個人情報が視認できない状態を実現する方法は、個人情報の代わりに別の情報を表示する方法や、個人情報の表示を行わない方法に限定されない。例えば、別のデータを個人情報の表示に重畳表示したり、個人情報の表示色を背景色と等しい色に変更したり、不透明度を０％（または透明度を１００％）にしたりするなど、内部処理としては個人情報の表示が行われていてもよい。内部的に表示を実行する方法を用いることで、隠蔽する場合としない場合との切り替え時に必要なデータ処理量を削減することができる。例えば、表示色や不透明度だけを変更する場合、表示属性のみを変更すれば足りる。また、重畳表示を用いる場合、重畳表示のオンオフを切り替えるだけで足りる。
【００３５】
図３に示す表示状態において、操作部８を通じて、個人情報の隠蔽解除指示（もしくは個人情報の表示指示）として予め定められた特定の入力がなされると、ＣＰＵ１は個人情報フィールド２２１に個人情報を表示する。この場合、例えば図２に示したように、一覧表示画面２００に関する全ての個人情報を一括して表示するようにしてもよいし、部分的に表示するようにしてもよい。
【００３６】
例えば、特定の入力が、個人情報フィールド２２１内の位置（座標）を指定する入力である場合、指定された位置（座標）に対応する個人情報だけを表示してもよいし、指定された位置（座標）に対して予め定められた表示領域に存在する全ての個人情報を表示してもよい。図４は、ポインタ２５０がファイル情報領域２１０の１行目の個人情報フィールド２２１における個人情報項目「氏名」の欄内の位置を指定する入力が、操作部８（ここではポインティングデバイス）の操作を通じてなされた状態を示している。そして、ＣＰＵ１は、この入力に応答して、ポインタ２５０が指定する「氏名」欄に本来表示される被検者の氏名を、ポップアップウィンドウ２５１に表示させている。なお、ポップアップウィンドウ２５１に表示せずに、図２に示したように「氏名」欄内に表示するようにしてもよい。また、個人情報項目「氏名」および「ＩＤ」を１つの表示グループとし、「氏名」もしくは「ＩＤ」欄内の位置を指定する入力があった場合には、「氏名」および「ＩＤ」欄の両方の情報を表示するように構成してもよい。なお、表示部６がタッチディスプレイである場合には、特定の位置（座標）をタップする入力（接触入力）について、同様の表示制御を行うことができる。
【００３７】
図５は、本実施形態の心電図解析装置１００における、レポート表示画面の例を示す図である。レポート表示画面３００は、例えば解析処理やレポート生成処理によって生成された解析レポートの内容を確認したり、生成済みの解析レポートの内容を例えば印刷または送信する前に確認したりするための画面である。ここでは、レポート表示画面３００は印刷（または印刷イメージ出力）される解析レポートと同じレイアウトを有しているものとする。
【００３８】
レポート表示画面３００は、タイトル領域３１０、心拍情報領域３２０、不整脈情報領域３３０、およびＳＴ情報領域３４０の、複数の部分領域から構成されている。タイトル領域３１０には現在日時、解析に用いた心電データの計測日時、ページ番号、解析レポートの生成日時、および被検者情報（ここでは被検者の氏名およびＩＤ）が表示される。
【００３９】
心拍情報領域３２０、不整脈情報領域３３０、およびＳＴ情報領域３４０には、計測期間中における心拍に関する情報項目群、不整脈に関する情報項目群、心電図のＳＴに関する情報項目群がそれぞれ表示される。これらの情報項目はいずれも個人情報項目として登録されているものとする。なお、図５に示した情報項目は例示であり、他の情報項目が含まれてもよいし、一部の情報項目が含まれなくてもよい。また、解析処理において行う解析内容やレポート様式などに応じて、解析レポートに含まれる部分領域の種類や情報項目は変化しうる。
【００４０】
本実施形態においては、個人情報として取り扱うべき情報項目（個人情報項目）が例えば心電図解析アプリケーションの設定情報に登録され、記憶装置１０に保存されている。ＣＰＵ１は情報表示を行う場合、表示する情報項目が個人情報項目として登録されているか否かを設定情報に基づいて判別し、個人情報項目として登録されている情報項目については、初期表示状態を隠蔽状態とすることを決定する。なお、隠蔽の対象となるのは情報の実体であって、情報項目名のような、画面レイアウトの一部として固定的に表示される情報は原則として隠蔽の対象にしない。
【００４１】
図５の例では、現在日時、計測日時、ページ番号を除く全ての情報項目が、個人情報項目として登録されている場合の表示状態を示している。レポート表示画面３００の部分領域である心拍情報領域３２０、不整脈情報領域３３０、およびＳＴ情報領域３４０のそれぞれに含まれる情報項目群は一括して確認できた方が使い勝手がよい。そのため、それぞれの部分領域に含まれる情報項目群を表示グループとして登録し、表示グループ単位で隠蔽表示およびその解除を制御する。従って、ＣＰＵ１は例えば心拍情報領域３２０内の情報項目を通常表示状態に変更（隠蔽状態を解除）する場合、隠蔽解除指示として予め定められた特定の入力の種類によらず、心拍情報領域３２０内の全情報項目の隠蔽状態を解除する。
【００４２】
なお、レポート内の情報項目の１つ以上について隠蔽状態を解除する場合、被検者情報についても併せて隠蔽状態を解除するように構成してもよい。例えば心拍情報領域３２０、不整脈情報領域３３０、およびＳＴ情報領域３４０の１つ以上の領域について情報項目の隠蔽状態を解除する場合、ＣＰＵ１はタイトル領域３１０内の被検者情報項目についても隠蔽状態を解除する。これは、解析結果だけ隠蔽表示を解除しても、どの被検者の情報かが分からないと使い勝手が悪くなる場合があるためである。具体的には、心拍情報領域３２０の表示グループ、不整脈情報領域３３０の表示グループ、およびＳＴ情報領域３４０の表示グループのそれぞれに被検者情報項目を含めることで、このような表示制御が実現できる。
【００４３】
なお、個人情報の隠蔽解除指示もしくは個人情報の表示指示として予め定められた特定の入力は、同一表示画面に対して複数設定されていてもよい。例えば、入力の種類ごとに隠蔽表示／表示解除される情報項目（群）を異ならせてもよいし、入力の種類が異なっても同じ情報項目（群）が隠蔽表示／表示解除されるようにしてもよい。
【００４４】
このように、本実施形態においては、
・隠蔽表示／隠蔽表示解除の対象となる情報項目（個人情報項目）
・まとめて隠蔽表示／隠蔽表示解除を行う１つ以上の個人情報項目から構成される表示グループ
・隠蔽表示／隠蔽表示解除の指示とみなす特定の入力と、その入力に応じて隠蔽表示／隠蔽表示解除を行う表示グループとの組み合わせ
に関する情報が例えば表示画面ごとに設定情報として予め登録されており、ＣＰＵ１はこの設定情報に基づいて表示制御を行う。
【００４５】
なお、隠蔽表示／隠蔽表示解除をどのような方法で行うかは、別途定めておくことができる。複数の方法から選択して登録できるように構成してもよい。
【００４６】
個人情報の隠蔽解除指示もしくは個人情報の表示指示として予め定められた特定の入力としては、個人情報の表示領域内の１つの位置を指定する入力に限定されない。他の例としては、
（１）画面内に予め定めた、特定領域（隠し領域でも、明示的な領域であってもよい）について、領域内の位置を指定する入力
なお、隠し領域とは、心電図解析装置１００の動作上は規定されているが、その領域を外見上特定できない画面内の領域である。
（２）特定のハードウェアキーまたはソフトウェアキー入力（１つまたは、２つ以上の特定の組み合わせの同時入力）
ここで、ハードウェアキーはキーボードのキーに限らず、オンオフする任意のハードウェアスイッチを含む。ハードウェアスイッチについてはオン入力とする。
（３）タッチパネルまたはポインティングデバイスによる特定のジェスチャ入力
（４）マルチタッチ対応の接触感知デバイスに対する、複数の特定領域（隠し領域でも、明示的な領域であってもよい）の各領域内の位置を同時に指定する入力（同時接触）。
（５）心電図解析装置１００の動きや傾きを検出するセンサ（たとえば加速度センサ、動きセンサ、傾きセンサ、姿勢センサなど）を有する場合、装置を特定の傾き（姿勢）にする入力や、装置の特定の動きを示す入力
（６）音声コマンド入力
が含まれるが、これらに限定されない。
【００４７】
また、ＣＰＵ１は、
（ａ）上述した予め定められた特定の入力が再度検出された場合、
（ｂ）上述した予め定められた特定の入力が検出されなくなった場合、
（ｃ）上述した予め定められた特定の入力が最初に検出されてから一定時間経過後
（ｄ）上述した予め定められた特定の入力が一定時間継続して検出されない場合、
といった、予め定められた復帰条件が満たされると、個人情報の隠蔽解除もしくは表示を終了し、個人情報が視認できない状態の表示（隠蔽状態）へ自動的に復帰させる。なお、ここに記載した復帰条件は単なる例示であり、これらに限定されない。なお、隠蔽状態への復帰を確実に、かつユーザの手間を省きつつ行うという観点からは、（ｂ）〜（ｄ）のように、復帰のための操作を必要としない復帰条件が好ましい。
【００４８】
また、個人情報の隠蔽解除指示もしくは個人情報の表示指示の入力デバイスや入力の特性に応じて、どの復帰条件を用いるかを予め定めておくことができる。例えば、モーメンタリ入力（押下／接触している間だけオンする）であれば（ｂ）や（ｄ）の復帰条件を用いたり、オルタネート入力（押下／接触ごとにオン・オフが切り替わる）であれば（ａ）や（ｃ）の復帰条件を用いたりすることができる。
【００４９】
図６（ａ）は、図５に示したレポート表示画面に関する設定情報の例を、図６（ｂ）は隠蔽表示の解除・復帰指示とする入力の設定情報の例を、図６（ｃ）は表示グループの設定情報の例をそれぞれ示している。
図６（ａ）に示すように、表示画面ごとに隠蔽表示／隠蔽表示解除の指示とみなす特定の入力と、対応する表示グループとの組み合わせを登録しておく。一方、隠蔽表示／隠蔽表示解除の指示とみなす特定の入力の具体的な詳細や、個人情報項目がどのような表示グループに属するか（各表示グループにどの個人情報項目が含まれるか）の詳細については、図６（ｂ），（ｃ）に示すように別途登録しておく。入力や表示グループの詳細については別途登録することで、表示画面の増減や変更、入力デバイスの増減や変更、計測・解析項目の増減や変更に対して柔軟に対応することが可能である。グループ欄が空欄の情報項目は、個人情報項目であるが、表示グループに属さないことを示すため、表示グループの設定は、個人情報項目の設定を兼ねてもよい。
【００５０】
図６（ａ）の最初の行は、特定のキー入力の組み合わせ（ＡＬＴキー、ＣＴＲＬキー、Ｚキーの同時押下）が検出されるごとに、画面内の全ての個人情報項目（＊）に対して隠蔽表示の解除と復帰が切り替えられることを示している。また、２行目は、個人情報項目の表示領域内の位置（座標）を指定する入力（ｐｏｉｎｔ）が検出されると、指定された位置に対応する情報項目１つだけについて隠蔽表示を解除し、隠蔽表示の解除入力が検出されなくなると隠蔽表示に復帰されることを示している。
【００５１】
３行目は、装置の傾きが３０度を超えると画面内の全ての個人情報項目（＊）の隠蔽表示が解除され、装置の傾きが１０度未満になると画面内の全ての個人情報項目（＊）が隠蔽表示に復帰することを示している。４〜６行目は、それぞれ、心拍情報領域３２０、不整脈情報領域３３０、およびＳＴ情報領域３４０内の位置を指定する入力が検出されると、表示グループ単位で隠蔽表示が解除され、隠蔽表示の解除入力が検出されなくなると隠蔽表示に復帰されることを示している。
【００５２】
図６（ｂ）に示すように、特定の領域内の位置を指定する入力については、矩形領域の左上および右下の頂点座標対を指定することで領域が設定されている。また、図６（ｃ）に示すように、個人情報項目ごとに、属する表示グループが登録されている。従って、ＣＰＵ１は頂点座標対｛（ｘ１，ｙ１），（ｘ２，ｙ２）｝で規定される心拍情報領域３２０内を指定する入力が検出された場合、心拍情報領域３２０内に含まれる個人情報項目のうち、表示グループＡに属するものについて隠蔽表示を解除する。
【００５３】
なお、表示グループの設定は、１つの情報項目が複数の表示グループに属することを許容している。従って、図６（ｃ）の例では、心拍情報領域３２０内の位置を指定する入力が検出された場合、被検者情報項目（氏名(name)およびＩＤ(ID)）についても隠蔽表示が解除される。被検者情報項目は表示グループＤを構成すると同時に、他の表示グループＡ〜Ｃにも属している。ここでは、従属的に制御される表示グループを（）内に指定することで、被検者情報項目は表示グループＡ〜Ｃの表示制御に従う一方、表示グループＤの表示制御には表示グループＡ〜Ｃを含めないことを示している。
【００５４】
図６（ａ）の７行目は、マウスのＣボタン押下が検出されると画面内の全ての個人情報項目（＊）の隠蔽表示が解除され、マウスのＣボタン押下が検出されなくなると画面内の全ての個人情報項目（＊）が隠蔽表示に復帰することを示している。また、８行目は、キーボードのファンクションキーFn1の押下が検出されると画面内の全ての個人情報項目（＊）の隠蔽表示が解除され、３０秒経過すると画面内の全ての個人情報項目（＊）が隠蔽表示に復帰することを示している。なお、図６に示した設定内容は説明を目的とした例示であり、設定項目の数や内容については適宜に変更することができる。また、隠蔽表示の解除指示や復帰指示として取り扱う入力と、隠蔽表示の対象とが全画面について共通であれば、表示画面ごとの設定を行わなくてもよい。例えば、特定の入力されている間だけ、画面内の全ての個人情報を表示するという表示制御をどの画面についても実行する場合がこれに該当する。
【００５５】
上述したような表示制御動作を実現するためにＣＰＵ１が行う動作について、図７に示すフローチャートを用いて説明する。なお、表示部６に表示すべき情報に個人情報が含まれない場合の表示制御動作は従来通りでよいため、ここでは表示部６に表示すべき情報に個人情報が含まれると判定された場合の表示制御動作についてのみ説明する。なお、表示部６に表示すべき情報に個人情報が含まれるかどうかは、上述の通り予め登録された情報に基づいて判別することができる。ＣＰＵ１は心電図解析装置１００において情報表示を行う際、表示内容に個人情報が含まれると判別された場合に以下の表示制御動作を行う。
【００５６】
Ｓ１０１でＣＰＵ１は、個人情報項目の内容（すなわち個人情報）を隠蔽した状態で情報表示（隠蔽表示）を行う。例えばレポート表示画面であれば、ＣＰＵ１は図５に示したような表示を行う。上述の通り、情報を「隠蔽した状態」とは、その情報が視認できない状態を意味し、様々な方法で実現することができる。どのような方法を用いるかは予め設定されているものとする。
【００５７】
Ｓ１０３でＣＰＵ１は、隠蔽解除指示として登録されている入力が検出されたかどうかを判別する。図６を用いて説明したように、本実施形態では隠蔽解除指示として取り扱う操作部８からの入力が表示画面に関連付けて予め登録されており、ＣＰＵ１は操作部８からの入力が、表示中の画面について隠蔽解除指示として登録された入力かどうかを判別する。
【００５８】
操作部８からの入力が、表示中の画面について隠蔽解除指示として登録された入力でなければ、ＣＰＵ１は個人情報の隠蔽表示を継続しながら、入力に対する動作を必要に応じて実行する。一方、隠蔽解除指示として登録された入力であれば、ＣＰＵ１は処理をＳ１０５に進める。
【００５９】
Ｓ１０５でＣＰＵ１は、Ｓ１０３で検出した入力に対応付けて登録されている範囲の個人情報項目について隠蔽状態を解除し、内容（すなわち、個人情報）が視認できる状態にする。
【００６０】
Ｓ１０７でＣＰＵ１は、Ｓ１０３で検出した入力に対応付けて登録されている復帰条件（操作部８からの特定の入力の検出、Ｓ１０３で検出した入力の検出終了、一定時間の経過など）が満たされたか否かを判定する。そして、ＣＰＵ１は復帰条件が満たされたと判定されれば処理をＳ１０１に戻して隠蔽表示に復帰させ、復帰条件が満たされたと判定されなければ、Ｓ１０５で開始した隠蔽状態の解除を継続する。
【００６１】
以上説明したように本実施形態によれば、情報表示を行う場合、取り扱いに注意を要する情報が含まれていれば、その情報が視認できない状態（隠蔽状態）でまず表示を行い、特定の入力が検出されると、隠蔽状態を解除する。そのため、ユーザが意識しなくても、必要のない状態では取扱に注意を要する情報が視認できない状態が維持され、第３者が情報を視認できる機会を効果的に減少させることができる。また、隠蔽状態を解除した後も、自動的もしくは簡便な操作により隠蔽状態へ復帰するため、取り扱いに注意を要する情報の漏えいを簡便に、かつ効果的に抑制することができる。
【符号の説明】
【００６２】
１００…心電図解析装置、１…ＣＰＵ、４…メモリカード、５…メモリカードスロット、６…表示部、８…操作部、１０…記憶装置、２０…通信インターフェース、４０…外部機器
【図１】
0006606339.tif 000002
【図２】
0006606339.tif 000003
【図３】
0006606339.tif 000004
【図４】
0006606339.tif 000005
【図５】
0006606339.tif 000006
【図６】
0006606339.tif 000007
【図７】
0006606339.tif 000008